(57)【要約】【課題】光学ズーム機能と電子ズーム機能を用いた好適なズーム制御を可能とする投射型表示装置を提供する。【解決手段】  被投射面に画像を投射する投射光学系（１１）と、この投射光学系（１１）の焦点距離を変化させて投射画像の第１のズーム動作を行う第１のズーム手段と、画像に対して画像処理を施すことにより投射画像の第２のズーム動作を行う第２のズーム手段と、第１及び第２のズーム動作を制御する制御手段（６）とを有する。そして、制御手段（６）はズーム動作を実行させるために操作される操作手段からの出力信号に応じて、第１のズーム動作と第２のズーム動作とを連動させたズーム制御を行う。【選択図】  図１
2006287863.tif 000002
【特許請求の範囲】
【請求項１】
投射型表示装置であって、
被投射面に画像を投射する投射光学系と、
前記投射光学系の焦点距離を変化させて投射画像の第１のズーム動作を行う第１のズーム手段と、
前記画像に対して画像処理を施すことにより前記投射画像の第２のズーム動作を行う第２のズーム手段と、
前記第１及び第２のズーム動作を制御する制御手段とを有し、
前記制御手段は、前記ズーム動作を実行させるために操作される操作手段からの出力信号に応じて、前記第１のズーム動作と前記第２のズーム動作とを連動させたズーム制御を行うことを特徴とする投射型表示装置。
【請求項２】
前記投射光学系の焦点距離情報を検出する検出手段を有し、
前記制御手段は、前記焦点距離情報に基づいて前記第１のズーム動作における第１のズーム領域と前記第２のズーム動作における第２のズーム領域を判別し、前記出力信号と前記ズーム領域の判別結果とに応じて前記第１のズーム動作と前記第２のズーム動作との切り換えることを特徴とする請求項１に記載の投射型表示装置。
【請求項３】
前記第１のズーム領域よりもテレ側に、前記第２のズーム領域が設けられていることを特徴とする請求項１又は２に記載の投射型表示装置。
【請求項４】
投射型表示装置であって、
ズームレンズを含み、被投射面に画像を投射する投射光学系と、
前記ズームレンズを用いて第１のズーム動作を行う第１のズーム手段と、
前記画像に対して画像処理を施すことにより第２のズーム動作を行う第２のズーム手段と、
前記ズームレンズの位置情報を検出するズーム位置検出手段と、
前記第１及び第２のズーム動作を制御する制御手段とを有し、
前記制御手段は、前記位置情報に応じて前記第２のズーム動作を制御することを特徴とする投射型表示装置。
【請求項５】
前記制御手段は、前記位置情報に基づいて前記第２のズーム動作を行うズーム領域を判別することを特徴とする請求項４に記載の投射型表示装置。
【請求項６】
前記制御手段は、前記ズームレンズがテレ端側に位置する場合の第１のズーム領域と、前記ズームレンズがワイド端側に位置する場合の第２のズーム領域とを判別し、前記第１及び第２のズーム領域において、前記第２のズーム動作の制御を行うことを特徴とする請求項４又は５に記載の投射型表示装置。
【請求項７】
前記制御手段は、前記第１及び第２のズーム領域において、前記第１のズーム動作から前記第２のズーム動作への切り替え制御を行うことを特徴とする請求項６に記載の投射型表示装置。
【請求項８】
前記制御手段は、前記投射光学系の明るさが最も高い投射領域をズーム中心位置として前記第２のズーム動作を制御することを特徴とする請求項１から７のいずれか１つに記載の投射型表示装置。
【請求項９】
前記被投射面を測光する測光手段を有し、
前記制御手段は、前記測光手段の検出結果に基づいて前記第２のズーム動作のズーム中心位置を設定することを特徴とする請求項１から７のいずれか１つに記載の投射型表示装置。
【請求項１０】
前記制御手段は、前記投射画像を縮小させる場合に、前記ズーム中心位置に基づいて前記第２のズーム動作を制御することを特徴とする請求項８又は９に記載の投射型表示装置。
【請求項１１】
ズーム中心位置設定手段を有し、
前記制御手段は、設定されたズーム中心位置に応じたズーム制御を行うことを特徴とする請求項１から１０のいずれか１つに記載の投射型表示装置。
【請求項１２】
前記ズームレンズがテレ端側に位置する場合であって、前記投射画像をさらに縮小させる場合、前記制御手段は前記第２のズーム手段を用いて前記画像を縮小し、縮小された前記画像を前記被投射面の表示領域の一部に部分表示することを特徴とする請求項４から１１のいずれか１つに記載の投射型表示装置。
【請求項１３】
前記ズームレンズがワイド端側に位置する場合であって、前記投射画像をさらに拡大する場合、前記制御手段は前記第２のズーム手段を用いて前記画像の一部を拡大し、拡大された前記画像を前記被投射面の表示領域に表示することを特徴とする請求項４から１１のいずれか１つに記載の投射型表示装置。
【発明の詳細な説明】
【技術分野】
【０００１】
本発明は、スクリーン（被投射面）に画像を拡大投射して表示する投射型表示装置に係り、詳しくは、光学ズーム機能及び電子ズーム機能を用いて投射する画面サイズを変更するズーム制御に関する。
【背景技術】
【０００２】
従来、プロジェクタは照明光学系で集光された光源からの光を、入力画像信号により変換・駆動される光シャッタを有するＬＣＤ（液晶デイスプレイ素子）等で光変調し、投射用のズームレンズ系、つまり、投射光学系を介して画像をスクリーン上に拡大投射する。
【０００３】
このようなプロジェクタは、プロジェクタ本体の上面に設けられたズームボタンの操作やリモコン操作により、投射光学系のズームレンズを移動させることで焦点距離を変化させて投射画像を光学的に拡大・縮小し（光学ズーム機能）、スクリーン上の投射画像の大きさを任意に設定可能としている（特許文献１）。
【０００４】
また、投射される画像の一部を切り出して拡大表示（又は縮小表示）する画像処理を施すことにより電子的にズーミングを行う電子ズーム機能が設けられたプロジェクタも提案されている（特許文献２）。
【０００５】
そして、これら光学ズーム機能と電子ズーム機能の両機能を備えたプロジェクタも提案されている。
【特許文献１】特開２００２−１６２６９０号公報（段落０００８〜０００９、図１等）
【特許文献２】特開２００４−２１２８１７号公報（段落００８２〜００８７、図６、図７等）
【発明の開示】
【発明が解決しようとする課題】
【０００６】
しかし、上記従来のプロジェクタでは、光学ズーム機能と電子ズーム機能とが別々に制御されているため、光学ズーム機能と電子ズーム機能とが連動しておらず、ズーム制御が２系統の制御方式となっている。
【０００７】
このため、光学ズーム機能でのズーミング後、電子ズーム機能を用いて改めてズーム調節を行わなければならず、使用者は光学ズーム機能と電子ズーム機能のそれぞれを個別に操作及び設定する必要があった。
【０００８】
また、スクリーンまでの距離やスクリーンサイズが多様化しており、一般的な光学ズーム（例えば、１倍〜１．５倍程度）では対応できない状況があり、さらなる高可変倍率化が望まれている。
【０００９】
そこで、本発明の例示的な目的は、光学ズーム機能と電子ズーム機能を用いた好適なズーム制御を可能とする投射型表示装置を提供することにある。
【課題を解決するための手段】
【００１０】
本発明の１つの観点としての投射型表示装置は、被投射面に画像を投射する投射光学系と、この投射光学系の焦点距離を変化させて投射画像の第１のズーム動作を行う第１のズーム手段と、画像に対して画像処理を施すことにより投射画像の第２のズーム動作を行う第２のズーム手段と、第１及び第２のズーム動作を制御する制御手段とを有する。そして、制御手段はズーム動作を実行させるために操作される操作手段からの出力信号に応じて、第１のズーム動作と第２のズーム動作とを連動させたズーム制御を行うことを特徴とする。
【００１１】
また、本発明の他の観点としての投射型表示装置は、ズームレンズを含み、被投射面に画像を投射する投射光学系と、ズームレンズを用いて第１のズーム動作を行う第１のズーム手段と、画像に対して画像処理を施すことにより第２のズーム動作を行う第２のズーム手段と、ズームレンズの位置情報を検出するズーム位置検出手段と、第１及び第２のズーム動作を制御する制御手段とを有する。そして、制御手段は位置情報に応じて第２のズーム動作を制御することを特徴とする。
【発明の効果】
【００１２】
本発明によれば、使用者が光学ズーム機能、電子ズーム機能を意識することなく、光学ズーム機能と電子ズーム機能と連動させた高可変倍率でのズーム設定及びズーム操作が可能となる。
【発明を実施するための最良の形態】
【００１３】
以下に本発明の実施例について説明する。
【実施例１】
【００１４】
図１は本発明の実施例１におけるプロジェクタ（投射型表示装置）の構成ブロック図である。同図において、１１はズームレンズ１２が設けられた投射光学系であり、不図示のフォーカスレンズや固定レンズ等の複数のレンズ群から構成されている。また、ズームレンズ１２は複数のレンズ群で構成することもできる。
【００１５】
２はズームレンズ１２の位置（ズーム位置）を検出するフォトインタラプタ、４はズーム位置検出部、５は不図示のモータを制御してズームレンズ１２を駆動させるズーム駆動部である。
【００１６】
１３は映像入力信号により変換駆動される光シャッタを有する液晶パネルで、該液晶パネル１３に送信される画像信号を変調する。この画像信号は映像信号入力部１９に入力され、ＡＤ変換部１８でデジタル信号に変換される。さらに、液晶パネル１３の縦横の解像度に適合するように、ＣＰＵ６は画像拡大縮小変換部１７に制御信号を送信し、画像信号を必要な大きさに拡大または縮小し、ＤＡ変換部１６でアナログ信号に変換する。そして、液晶パネル駆動部１５を介して液晶パネル１３に画像信号が入力されることになる。
【００１７】
ランプ１４の光源からの光は、不図示の照明光学系で集光されて液晶パネル１３に照射され、該液晶パネル１３にて光変調される。そして、変調された光が投射光学系１１のズームレンズ１２を介してスクリーン１に拡大投射される。
【００１８】
６は本実施例のプロジェクタ全体を制御する制御用マイクロコンピュータ（以下ＣＰＵ）で、Ｔｅｌｅ（縮小）ボタン８及びＷｉｄｅ（拡大）ボタン９が設けられたズームボタン８が接続されており、ズームボタン８が操作されるとズーム駆動部５が不図示のモータを制御して、Ｔｅｌｅボタン８又はＷｉｄｅボタン９の操作に対応する方向にズームレンズ１２を移動する。なお、フォトインタラプタ２により検出されたズームレンズ１２のズーム位置はズーム位置検出部４を介してＣＰＵ６に出力される。さらに、このＣＰＵ６には検出されたズーム位置情報（焦点距離情報）に基づいて、後述するズーム領域を判別するズーム領域判別部３が設けられている。
【００１９】
また、ＣＰＵ６には、ズーム中心位置設定ボタン９が接続され、後述するズーミング制御におけるスクリーン１上のズーム中心位置を任意に設定することができる。さらにＣＰＵ６には赤外線などを用いた無線タイプのリモコン３０からの信号を受信するリモコン受光部７が設けられており、リモコン３０からＴｅｌｅボタン８及びＷｉｄｅボタン９の操作が可能である。１０は各種設定値を記憶するメモリである。
【００２０】
図７は本実施例のリモコン３０を示す図であり、プロジェクタに必要な各種機能に係るボタンが設けられており、図１に示したプロジェクタをリモート操作できる。具体的には、プロジェクタ本体のズームボタン８と同様にＴｅｌｅボタン３１ａ、Ｗｉｄｅボタン３１ｂが設けられたズームボタン３１、メニューボタン３３、入力ボタン３４、台形歪補正ボタン３５、３６及び電源ボタン３７が備えられている。そして、これら各種のボタンを押下すると、対応する制御コマンド信号が赤外線の変調信号としてプロジェクタ本体のリモコン受光部７に送信される。
【００２１】
次に、図３を用いて本実施例のプロジェクタに設けられた光学ズーム機能と電子的な画像拡大縮小による電子ズーム機能とがシームレスに連動し、一つのズーム機能のように切り替わる動作について説明する。なお、図６は図３の各ズーム領域と関連して実際に表示された状態を示めしている。また、本実施例のズーム機能は、ズームレンズ１２を用いて投射光学系１１の焦点距離を変化させることで、ズーミングを行う光学ズーム機能（第１のズーム動作）と、入力画像に対して画像拡大縮小変換部１７が画像処理をすることによりズーミングを行う電子ズーム機能（第２のズーム動作）との両機能により提供される。
【００２２】
図３は本実施例のズーム表示図であり、スクリーン１に投射された画像の表示状態を示している。Ｔｅｌｅ／Ｗｉｄｅボタン８ａ、８ｂが選択されることで表示画面の画角が変化する。そして、光学ズーム及び電子ズームの状態により、Ａ、Ｂ、Ｃの３パターンのズーム領域が存在する。
【００２３】
ズーム領域Ａ：電子ズームで部分拡大可変範囲（Ｗｉｄｅ（＋））   
ズーム領域Ｂ：光学ズーム可変範囲
ズーム領域Ｃ：電子ズーム縮小可変範囲（Ｔｅｌｅ（−））
まず、ズーム領域Ａは光学ズームがワイド最大で固定（ズームレンズ１１がワイド端で固定）で、電子ズームで部分表示して拡大率を可変する領域である。このズーム領域Ａでは、入力される画像信号をフルサイズで表示できないため、例えば、入力画像の光学的な中心部分を切り出して部分拡大して表示する。具体的には、図５に示すように電子的に画像を拡大表示するので液晶パネル１３の表示可能範囲領域を超えて、入力画像の一部が表示される。
【００２４】
ズーム領域Ｂは光学ズームのみを使用して可変する領域で、電子ズームは固定で、入力画像がフルサイズで表示される領域である。一般の光学的なズーム機能が設けられたプロジェクタと同等の機能を有する。
【００２５】
ズーム領域Ｃは光学ズームがテレ最大で固定（ズームレンズ１１がテレ端で固定）で、電子ズームで縮小表示して縮小率を可変する領域である。このズーム領域Ｃでは、入力される画像信号をフルサイズで表示するが、液晶パネル１３の有効表示領域より更に小さく表示することになる。例えば、図４に示すように電子的に入力画像を縮小表示するので、液晶パネル１３の表示可能範囲領域の一部に入力画像が表示されることになる。
【００２６】
次に、図２に本実施例におけるプロジェクタのズーミング動作の制御フローチャートを示す。
【００２７】
まず、ＣＰＵ６は投射光学系１１のズームレンズ１２の位置を検出する（Ｓ１０１）。そして、ズームボタン８（ｔｅｌｅボタン８ａ又はｗｉｄｅボタン８ｂ）が押されているかを判別し（Ｓ１０２）、押下されている場合には、ステップ１０２で検出したズーム位置情報に基づいて、ＣＰＵ６のズーム領域判別部３がズーム領域Ａ，Ｂ，Ｃのどの領域に現在ズーム位置があるのかを判別する（Ｓ１０３）。
【００２８】
このズーム領域判別部３の領域判別は、ズームレンズ１２のズーム位置がワイド端かテレ端かを判別することにより行われるが、例えば、ｗｉｄｅボタン８ｂが押下されており、かつズームレンズ１２がワイド端に位置している場合にズーム領域Ａと判別し、ｔｅｌｅボタン８ａが押下されており、かつズームレンズ１２がテレ端に位置している場合にズーム領域Ｃと判別するように、ズームボタン８が押下されることによる出力信号とズーム位置とでズーム領域を判別するように構成することができる。
【００２９】
また、このズーム領域判別部３の領域判別は、画像拡大縮小変換部１７の拡大率を用いて行うことも可能である。例えば、入力信号に対して画像処理によって液晶パネル１３に表示する拡大／縮小率で考えた場合、入力信号を液晶パネル１３にフルサイズで表示した場合の拡大率を１００％とすると、１）ズーム領域Ａでの拡大率は１００％以上（液晶パネル１３からはみ出すように拡大表示）、２）ズーム領域Ｂでの拡大率は常に１００％、３）ズーム領域Ｃでの拡大率は１００％以下（入力信号は１００％表示し、液晶パネル１３の表示可能領域より小さい表示）となる。
【００３０】
このように、ＣＰＵ６のズーム領域判別部３が画像拡大縮小変換部１７の拡大率を参照して各ズーム領域を判別するように構成することもできる。
【００３１】
次に、ステップ１０３において、ズーム領域Ａと判別された場合、図３に示すように電子ズームでズーミング制御を行う領域なので、ＣＰＵ６はズーム方向を判別し（Ｓ１１０）、Ｔｅｌｅボタン８ａが押下されてズーム方向がテレ方向である場合には、電子ズーム制御をテレ側（表示されている画像が小さくなる方向）へ制御する（Ｓ１１２）。一方、ｗｉｄｅボタン８ｂが押下されてズーム方向がワイド方向である場合には、電子ズーム制御をワイド側（スクリーン１に表示されている画像が大きくなる方向）へ制御する（Ｓ１１１）。
【００３２】
また、ズーム領域Ｂと判別された場合には、光学ズームでズーミング制御を行う領域なので、ステップ１０４において、上記ステップ１１０と同様にズーム方向を判別し、Ｔｅｌｅボタン８ａが押下されている場合には光学ズーム制御をテレ側へ制御する（Ｓ１０６）。一方、Ｗｉｄｅボタン８ｂが押下されている場合は、光学ズーム制御をワイド側へ制御する（Ｓ１０５）。
【００３３】
さらに、ズーム領域Ｃと判別された場合、電子ズームでズーミング制御を行うズーム領域なので、ステップ１０７において上記ステップ１１０と同様にズーム方向を判別し、Ｔｅｌｅボタン８ａが押下されている場合には電子ズームをテレ側へ制御し（Ｓ１０９）、Ｗｉｄｅボタン８ｂが押下されている場合は、電子ズーム制御をワイド側へ制御する（Ｓ１０８）。
【００３４】
また、上記ズーム動作はズーム中心位置において行われる。つまり、ユーザがズーム中心位置設定ボタンから任意のズーム中心位置を設定し、設定された任意の位置でのズーミングを行うように構成されている。
【００３５】
図６は、上記図２に示したズーミング動作の制御フローを視覚的に示したものであり、図３の表示状態を更に詳細に説明するものである。左上図から順に説明すると、ズーム領域ＡでＷｉｄｅ最大の場合、電子ズーム部分拡大はＷｉｄｅ端になる。つまり、光学ズームもＷｉｄｅ端で、投射される表示サイズの最大の大きさとなる。このため、入力信号全体は表示されない（ケラレる）が、最大限に大きく画像表示したい場合や投射位置とスクリーン１とが近距離の場合に使用される。
【００３６】
そして、Ｔｅｌｅボタン８ａを押下し続けると表示される画像が小さくなり、ケラレ部分の画像が徐々に小さく出てきて、ズーム領域Ａとズーム領域Ｂとの境界（図６右上）では、電子ズームでの部分拡大Ｔｅｌｅ端、つまり、入力信号全体が表示される。このとき、光学ズームＷｉｄｅ端は変らず、投射表示サイズ最大のままである。
【００３７】
その後更にＴｅｌｅボタン８ａを押下し続けると、光学ズームだけがテレ側へ変り、表示画面全体が小さくなり、ズーム領域Ｂとズーム領域Ｃの境界（図６左下図）では、電子ズームでの部分拡大Ｔｅｌｅ端のままで、光学ズーム位置がＴｅｌｅ端になり、これ以上は光学的に小さく表示できなくなる。すなわち光学ズーム機能を用いてこれ以上画像を小さく表示することができない状態となる。
【００３８】
そしてＴｅｌｅボタン８ａを押下し続けると、電子ズームで縮小表示するので、更にテレ側へズーム倍率を可変することができる。電子ズームでの縮小表示は５０％程度が実用的で、スクリーン１の中心部分に入力信号が縮小表示される。また、入力画像を解像度変換で縮小表示するため、画質はやや劣化し、投射サイズより小さくすることから、入力画像以外のまわり部分は黒表示信号で埋めて表示することになる。その後、電子ズームで縮小方向におけるＴｅｌｅ端になると（図６右下図）、ズーム領域Ｃでの最小表示となる。
【００３９】
なお、ズーム領域Ａにおいて最も画像が拡大された状態、つまり、光学ズームがワイド端でかつ電子ズームがワイド端である場合は、Ｗｉｄｅボタン８ｂをさらに押しても、これ以上拡大表示されない。また、ズーム領域Ａにおけるスクリーン１に表示される画像の領域は、入力された画像信号の領域よりも小さい部分表示（切り出し表示）となる。
【００４０】
また、ズーム領域ＡにおいてＴｅｌｅボタン８ａを押すと、電子ズーム制御で表示される画像が小さくなる方向に変化する。しかし、部分表示（切り出し表示）のため、入力信号と同じサイズになるまでは、表示している大きさには変化は無く（ズーム領域Ｂの最大（ワイド端）と同じ）、入力信号の中心部分の拡大された画像となる。
【００４１】
このように本実施例では、Ｔｅｌｅボタン８ａを押しつづけるだけで、表示画像が最大から最小にズーミングされる。光学ズームだけの場合（ズーム領域Ｂのみ）に比べて、ズーム領域Ａ及びズーム領域Ｃが増えるために高倍率でのズーム制御を可能にする。
【００４２】
言い換えれば、スクリーン１とプロジェクタ本体との距離が近い場合や広角な光学系を用いる場合であって、且つ光学ズームでカバーできない場合でも、光学ズーム領域（ズーム領域Ｂ）よりもテレ側に、電子ズーム領域（ズーム領域Ｃ）が設けられているので、テレ方向のズーム倍率を上げて適正な表示サイズに調整できる。
【００４３】
そして、Ｔｅｌｅボタン８ａ又はＷｉｄｅボタン８ｂを押すだけでズーム倍率に応じて自動的に光学ズームと電子ズームとがシームレスに切り換わる（選択する）ので、光学ズーム機能と電子ズーム機能とを使い分けたりするなどの特別な配慮を必要としないズーム動作を可能とする。
【００４４】
なお、本実施例では説明を簡略化するため、Ｔｅｌｅボタン８ａを押し続けて画像を縮小表示する場合を１例に説明したが、例えば、Ｗｉｄｅボタン８ｂを押し続けて画像を拡大表示する場合は、上記説明の逆方向のズーム動作となる。
【実施例２】
【００４５】
図８は、本発明の実施例２におけるプロジェクタの構成ブロック図である。本実施例では、上記実施例１のプロジェクタにスクリーン１上の明るさ（照明分布）を測定する測光部４０が設けられている。  
【００４６】
図１０に示すように、スクリーン１上の明るさの中心は、一般的に液晶パネル１３中心よりスクリーン１の下側へシフトした位置にある。これはスクリーン１に対して画像を斜め上に投射したり、ケラレを防止するために、液晶パネル１３の中心を投射光学系１１の光軸よりも下側にずらして配置（オフセット配置）しているためである。
【００４７】
つまり、このようなオフセット配置では、投射光学系１１のレンズ性能の明るさ中心は液晶パネル１３の中心（スクリーン１の中心）よりも下側に位置するので、本実施例では画像縮小表示における縮小表示の中心を液晶パネル１３の表示領域の中心でなく、レンズ性能の明るさ分布の中心に設定する。
【００４８】
本実施例では測光部４０によりスクリーン１を測光し、ＣＰＵ６の明るさ分布判別部３ａによりスクリーン１上の最も明るい表示領域を判別し、ズーム中心位置を設定する。なお、投射光学系１１のレンズ性能に基づいて予め縮小表示の中心を自動的に設定してもよい。
【００４９】
図９は本実施例のプロジェクタの制御フローチャートであり、ステップ１０７においてズーム方向がテレ方向の場合、スクリーン１を測光部４０により測光し、スクリーン１上の明るさ中心をズーム中心位置に設定する（Ｓ２０９１）。そして、設定されたズーム中心位置において電子ズームでさらに画像を縮小表示する（Ｓ２０９２）。その他は上記実施例１と同様である。
【００５０】
したがって、例えば、ズーム領域Ｃの画像縮小表示では投射サイズより小さくすることから、入力画像以外のまわり部分は黒表示信号で埋めて表示するので、画面全体が暗くなるが、本実施例のようにスクリーン１上の一番明るい表示領域をズーム中心位置とする、又は投射光学系１１の明るさ分布の中心（レンズ性能の明るさ分布の中心）にズーム中心位置を設定すること良好な画像表示を行うことができる。
【図面の簡単な説明】
【００５１】
【図１】本発明の実施例１に係る投射型表示装置の構成ブロック図。
【図２】本発明の実施例１に係る投射型表示装置のズーム制御に係るフローチャート図。
【図３】本発明の実施例１に係る投射型表示装置のスクリーン１に投射された画像の表示状態を示す図。
【図４】本発明の実施例１に係る投射型表示装置のズーム動作（縮小表示）を説明する図。
【図５】本発明の実施例１に係る投射型表示装置のズーム動作（拡大表示）を説明する図。
【図６】本発明の実施例１に係る投射型表示装置のズーム制御における一連のズーム動作を視覚的に説明するための図。
【図７】本発明の実施例１に係る投射型表示装置のリモコンを示す図。
【図８】本発明の実施例２に係る投射型表示装置の構成ブロック図。
【図９】本発明の実施例２に係る投射型表示装置のズーム制御に係るフローチャート図。
【図１０】本発明の実施例２に係る投射型表示装置のスクリーン上の明るさ分布図。
【符号の説明】
【００５２】
１    スクリーン
２    フォトインタラプタ
３    ズーム位置判別部
４    ズーム位置検出部
５    ズーム駆動部
６    ＣＰＵ
７    リモコン受光部
８ａ  Ｔｅｌｅボタン
８ｂ  Ｗｉｄｅボタン
９    ズーム中心位置設定ボタン  
１０  メモリ
１１  投射光学系
１２  ズームレンズ
１３  液晶パネル
１４  ランプ部
１５  液晶パネルドライブ
１６  ＤＡ変換部
１７  画像拡大縮小変換部
１８  ＡＤ変換部
１９  映像信号入力部
３０  リモコン
【図１】
2006287863.tif 000003
【図２】
2006287863.tif 000004
【図３】
2006287863.tif 000005
【図４】
2006287863.tif 000006
【図５】
2006287863.tif 000007
【図６】
2006287863.tif 000008
【図７】
2006287863.tif 000009
【図８】
2006287863.tif 000010
【図９】
2006287863.tif 000011
【図１０】
2006287863.tif 000012